(57)【要約】【課題】肘掛テーブルが座席の横に取り付けられ、座席に着座した乗客によって調節できるようにする。【解決手段】肘掛テーブルは肘掛ケーシング１０、前方移動スタンド２０、上方移動スタンド４０及び少なくとも１つのテーブルパネル６０を有する。前方移動スタンドは肘掛ケーシングに前後移動自在に取り付けられる。テーブルパネルは前方移動スタンドに上下移動自在に取り付けられる。テーブルパネルは移動経路の最高位置に移動するとき回転して水平になる。テーブルパネルがその移動経路の最低位位置に移動されるとき前方移動スタンド及びテーブルパネルは肘掛ケーシング内に収容することができる。肘掛テーブルは座席の横に取り付けられるので、乗客はテーブルパネルの高さを調節することができる。【選択図】図３
2018002135.tif 000002
【特許請求の範囲】
【請求項１】
肘掛ケーシングを備え、前記肘掛ケーシングは、
内部空間と、
前記肘掛ケーシングの前記内部空間に連通する前部開口とを有し、
前記肘掛ケーシングに前後移動自在に取り付けられ、前記肘掛ケーシングの前記前部開口から外方に移動自在な前方移動スタンドを備え、前記前方移動スタンドは、
内部空間と、
前記前方移動スタンドの前記内部空間に連通する上部開口とを有し、
前記前方移動スタンドに上下移動自在に取り付けられ、前記前方移動スタンドの前記上部開口から外方に移動自在な少なくとも１つのテーブルパネルを備え、
前記少なくとも１つのテーブルパネルがその移動経路の最高位置に移動されるとき、前記少なくとも１つのテーブルパネルは水平に回転自在であり、
前記少なくとも１つのテーブルパネルがその移動経路の最低位置に移動されるとき、前記前方移動スタンド及び前記少なくとも１つのテーブルパネルは前記肘掛ケーシング内に収納できることを特徴とする肘掛テーブル。
【請求項２】
前記肘掛ケーシングに取り付けられ、前記前方移動スタンドに連結され、前記前方移動スタンドを前後に移動することができる前方移動動力装置と、
前記肘掛ケーシングに取り付けられる制御パネルと、
前記制御パネル及び前記前方移動動力装置に電気的に接続され、前記制御パネルは前記前方移動動力装置によって前記前方移動スタンドの移動及び位置を制御する制御システムとを備えることを特徴とする請求項１記載の肘掛テーブル。
【請求項３】
前記前方移動動力装置は、
押出モータを有し、前記押出モータは、
移動自在であり、前記前方移動スタンドに確実に連結される押出ロッドを有することを特徴とする請求項２記載の肘掛テーブル。
【請求項４】
前記前方移動動力装置は、
前記肘掛ケーシングに取り付けられ、前後に延伸する前方移動ギアラックと、
前記前方移動スタンドに取り付けられ、前記制御システムに電気的に接続される前方移動ポテンショメータとを有し、前記前方移動ポテンショメータは、
前記前方移動ギアラックと回転自在で噛合する前方移動ギアを有することを特徴とする請求項２記載の肘掛テーブル。
【請求項５】
前記前方移動スタンドに上下移動自在に取り付けられ、前方移動スタンドの上部開口から外方に移動自在な上方移動スタンドを備え、前記上方移動スタンドは、
内部空間と、
前記内部空間に連通し、前記上方移動スタンドの上部に形成される少なくとも一つのテーブルパネル開口とを有し、前記少なくとも一つのテーブルパネルは前記上方移動スタンドに上下移動自在に取り付けられ、前記上方移動スタンドの前記少なくとも１つのテーブルパネル開口から外方に移動自在であり、
前記前方移動スタンドに取り付けられ、前記上方移動スタンドに連結され、前記上方移動スタンドを上下に移動することができる上方移動動力装置を備え、
前記制御システムは前記上方移動動力装置に電気的に接続され、前記制御パネルは前記上方移動動力装置によって前記上方移動スタンドの移動及び位置を制御するものであり、
前記少なくとも１つのテーブルパネルがその移動経路の最低位置に移動され、前記上方移動スタンドがその移動経路の最低位置に移動されるとき、前記前方移動スタンド、前記上方移動スタンド及び前記少なくとも１つのテーブルパネルが前記肘掛ケーシング内に収納できることを特徴とする請求項２に記載の肘掛テーブル。
【請求項６】
前記上方移動動力装置は、
前記前方移動スタンドに取り付けられ、前記制御システムに電気的に接続されるモータと、
記モータに垂直方向に連結され、前記モータによって回転されるネジロッドと、
前記上方移動スタンドに確実に取り付けられ、前記ネジロッドの周りに取り付けられ、前記ネジロッドとネジ止めされるナットとを有することを特徴とする請求項５記載の肘掛テーブル。
【請求項７】
前記上方移動動力装置は、
前記前方移動スタンドに設けられ、上下に延伸する上方移動ギアラックと、
前記上方移動スタンドに取り付けられ、前記制御システムに電気的に接続される上方移動ポテンショメータとを有し、前記上方移動ポテンショメータは、
前記上方移動ギアラックラックと回転自在で噛合する上方移動ギアを有することを特徴とする請求項５記載の肘掛テーブル。
【請求項８】
前記上方移動動力装置は、
前記前方移動スタンドに取り付けられ、前記上方移動スタンドによって選択的に作動され、前記制御システムに電気的に接続される上側スタンドコンタクトスイッチと、
前記前方移動スタンドに取り付けられ、前記上方移動スタンドによって選択的に作動され、前記制御システムに電気的に接続される下側スタンドコンタクトスイッチとを有し、
前記上側スタンドコンタクトスイッチ及び前記下側スタンドコンタクトスイッチは互いに垂直方向に離間して配置されることを特徴とする請求項５記載の肘掛テーブル。
【請求項９】
前記少なくとも１つのテーブルパネルに対応する少なくとも１つのテーブルパネルコンタクト装置を備え、前記少なくとも１つのテーブルパネルコンタクト装置の各々は、
前記上方移動スタンドに取り付けられ、対応するテーブルパネルによって選択的に作動され、前記制御システムに電気的に接続される上側パネルコンタクトスイッチと、
前記上方移動スタンドに取り付けられ、対応するテーブルパネルによって選択的に作動され、前記制御システムに電気的に接続される下側パネルコンタクトスイッチとを有し、
前記上側パネルコンタクトスイッチ及び前記下側パネルコンタクトスイッチは互いに垂直方向に離間して配置されることを特徴とする請求項５記載の肘掛テーブル。
【請求項１０】
前記上方移動スタンドは、
前記上方移動スタンドの内壁に取り付けられ、前記上方移動スタンドの少なくとも１つのテーブルパネル開口に隣接して配置される少なくとも１つの押出装置を備え、前記少なくとも１つの押出装置の各々は、
第２の当接部と、
前記第２の当接部を押出して前記第２の当接部を対応するテーブルパネルに対して当接させる第２の弾性エレメントとを有することを特徴とする請求項５記載の肘掛テーブル。
【請求項１１】
前記上方移動スタンドは、
前記上方移動スタンドの内壁に取り付けられる少なくとも１つのクッションを有し、前記少なくとも１つのテーブルパネルは前記少なくとも１つのクッションに選択的に下方に当接することを特徴とする請求項５記載の肘掛テーブル。
【請求項１２】
前記前方移動スタンド及び前記上方移動スタンドの間に取り付けられ、前記上方移動スタンドの前面及び後面にそれぞれ取り付けられる２つの上方移動チャンネルアッセンブリを備え、前記２つの上方移動チャンネルアッセンブリの各々は、
前記前方移動スタンドの内壁に取り付けられる少なくとも１つのスライドチャンネルスタンドと、
前記上方移動スタンドの前面又は後面に配置され、上下に延伸し、前記少なくとも１つのスライドチャンネルスタンドと摺動自在に係合する少なくとも１つのスライドチャンネルとを有することを特徴とする請求項５記載の肘掛テーブル。
【請求項１３】
前記肘掛ケーシングは、
前記肘掛ケーシングの内壁に取り付けられ、前記前方移動スタンドを選択的にクランプする複数のゴム当接部を有し、
前記上方移動スタンドは、
前記上方移動スタンドの内壁に取り付けられ、前記少なくとも１つのテーブルパネルを選択的にクランプする複数のゴム当接部を有することを特徴とする請求項５記載の肘掛テーブル。
【請求項１４】
前記少なくとも１つのテーブルパネルの各々は、
前記テーブルパネルの下側に枢動自在に連結された係合フレームを有し、前記テーブルパネルが水平に回転されるとき、前記テーブルパネルが前記係合フレームに当接し、
前記係合フレームに取り付けられる少なくとも１つの第１の当接部と、
前記係合フレームに取り付けられ、前記少なくとも１つの第１の当接部を押出して前記少なくとも１つの第１の当接部を前記テーブルパネルに当接させる少なくとも１つの第１の弾性エレメントとを有することを特徴とする請求項１記載の肘掛テーブル。
【請求項１５】
前記前方移動スタンドに上下移動自在に取り付けられ、前記前方移動スタンドの上部開口から外方に移動自在な上方移動スタンドを備え、前記上方移動スタンドは、
内部空間と、
前記内部空間に連通し、前記上方移動スタンドの上部に形成される少なくとも一つのテーブルパネル開口とを有し、前記少なくとも１つのテーブルパネルは前記上方移動スタンドに上下移動自在に取り付けられ、前記上方移動スタンドの前記少なくとも１つのテーブルパネル開口から外方に移動自在であり、
前記前方移動スタンドに取り付けられ、前記上方移動スタンドに連結され、前記上方移動スタンドを上方に押出す動力装置と、
前記前方移動スタンドに取り付けられ、前記上方移動スタンドを前記前方移動スタンドに選択的に固定するロック装置とを備え、
前記少なくとも１つのテーブルパネルがその移動経路の最低位置に移動され、前記上方移動スタンドがその移動経路の最低位置に移動されるとき、前記前方移動スタンド、前記上方移動スタンド及び前記少なくとも１つのテーブルパネルは前記肘掛ケーシング内に収納できることを特徴とする請求項１記載の肘掛テーブル。
【請求項１６】
前記動力装置は、
前記前方移動スタンドに取り付けられ、前記上方移動スタンドに連結され、前記上方移動スタンドを上方に押出す少なくとも１つの液圧ガスストラットを有することを特徴とする請求項１５記載の肘掛テーブル。
【請求項１７】
前記上方移動スタンドは、
前記上方移動スタンドの側壁に形成され、互いに垂直方向に離間して配置される複数の第１の位置決め溝を有し、
前記ロック装置は、
前記前方移動スタンドに確実に取り付けられる第１の取付スタンドと、
前記第１の取付スタンドに横方向移動自在に取り付けられ、前記上方移動スタンドの前記第１の位置決め溝の１つに選択的に取り付けられる第１の挿入ユニットと、
前記第１の取付スタンドに取り付けられ、前記第１の挿入ユニットに当接して前記第１の挿入ユニットを前記上方移動スタンドの前記第１の位置決め溝の１つに取り付けさせる横方向弾性エレメントと、
前記第１の取付スタンドに上下移動自在に取り付けられ、前記前方移動スタンドから露出され、前記第１の挿入ユニットに当接する押圧ユニットとを有し、前記押圧ユニットが下方に押圧されるとき、前記押圧ユニットは前記第１の挿入ユニットを押出して前記第１の挿入ユニットを前記第１の位置決め溝と離間させることを特徴とする請求項１５記載の肘掛テーブル。
【請求項１８】
前記ロック装置の前記押圧ユニットは、
前記押圧ユニットに形成され、前記第１の挿入ユニットに当接する傾斜部を有することを特徴とする請求項１７記載の肘掛テーブル。
【請求項１９】
前記ロック装置は、
前記第１の取付スタンドに取り付けられ、前記押圧ユニットを上方に押出す少なくとも１つの垂直方向弾性エレメントを有することを特徴とする請求項１７記載の肘掛テーブル。
【請求項２０】
前記上方移動スタンドは、
前記上方移動スタンドの内壁に取り付けられる少なくとも１つの係合チャンネルアッセンブリを有し、前記少なくとも１つの係合チャンネルアッセンブリの各々は、
前記上方移動スタンドの２つの対向側にそれぞれ配置され、上下に延伸する２つの係合チャンネルを有し、前記少なくとも１つのテーブルパネルの各々は、
前記テーブルパネルの底側に枢動自在に連結される係合フレームを有し、前記係合フレームは、
前記係合フレームの２つの対向側に取り付けられ、前記少なくとも１つの係合チャンネルアッセンブリの１つの２つの係合チャンネルの周りにそれぞれ摺動自在に取り付けられる２つの案内スタンドを有することを特徴とする請求項１５記載の肘掛テーブル。
【請求項２１】
前記上方移動スタンドは、
前記上方移動スタンドの２つの対向側に取り付けられる複数の位置決めユニットを有し、前記少なくとも１つのテーブルパネルの前記係合フレームは前記決めユニットに選択的に上方に当接し、
前記上方移動スタンドの上部に取り付けられ、少なくとも１つのテーブルパネル開口に隣接して配置される少なくとも１つの支持ユニットを有し、前記少なくとも１つのテーブルパネルは前記少なくとも１つの支持ユニットに選択的に下方に当接し、
前記少なくとも１つのテーブルパネルがその移動経路の最高位置に移動し、水平に回転されるとき、前記少なくとも１つのテーブルパネルの前記係合フレームは前記位置決めユニットに上方に当接し、前記少なくとも１つのテーブルパネルは前記少なくとも１つの支持ユニットに下方に当接することを特徴とする請求項２０記載の肘掛テーブル。
【請求項２２】
前記前方移動スタンドは、
前記前方移動スタンドの底部に配置され、互いに前後に離間して配置される複数の第２の位置決め孔を有し、
前記肘掛テーブルはさらに、
前記肘掛ケーシングに取り付けられる当接装置を有し、前記当接装置は、
前記肘掛ケーシングに確実に取り付けられる第２の取付スタンドと、
前記第２の取付スタンドに移動自在に取り付けられ、前記前方移動スタンドの前記第２の位置決め孔の１つに選択的に取り付けられる第２の挿入ユニットと、
前記第２の取付スタンドに取り付けられ、前記第２の挿入ユニットに当接して前記第２の挿入ユニットを前記前方移動スタンドの前記第２の位置決め孔の１つに取り付けさせる当接弾性エレメントと、
前記肘掛ケーシングに枢動自在に連結され、前記肘掛ケーシングから露出され、前記第２の挿入ユニットに当接するペダルとを有し、
前記ペダルが回転されるとき、前記ペダルは前記第２の挿入ユニットを押出して前記第２の挿入ユニットを前記前方移動スタンドの前記第２の位置決め孔から離間させることを特徴とする請求項１５記載の肘掛テーブル。
【請求項２３】
前記前方移動スタンドは、
前記前方移動スタンドの底部に取り付けられる位置決めパネルを有し、前記第２の位置決め孔は前記位置決めパネルを貫通して横方向に形成され、
前記当接装置の前記第２の挿入ユニットは前記第２の取付スタンドに横方向に移動自在に取り付けられ、
前記ペダルと前記肘掛ケーシングとの間の回転軸が垂直方向に配置されることを特徴とする請求項２２記載の肘掛テーブル。
【請求項２４】
前記前方移動スタンドは、
前記前方移動スタンドの底部に取り付けられる少なくとも１つの車輪を有することを特徴とする請求項１記載の肘掛テーブル。
【請求項２５】
前記肘掛ケーシングと前記前方移動スタンドの底部との間に取り付けられる少なくとも１つの前方移動チャンネルアッセンブリを備え、前記少なくとも１つの前方移動チャンネルアッセンブリの各々は、
前記肘掛ケーシングの前記内部空間の底部に取り付けられる少なくとも１つのベアリングアッセンブリを有し、前記少なくとも１つのベアリングアッセンブリの各々は、
互いに離間して前後に配置される複数の左側ベアリングと、
互いに離間して前後に配置される複数の右側ベアリングとを有し、左端側の前記左側ベアリングが左端側の前記右側ベアリングを越えて延伸し、右端側の前記右側ベアリングが右端側の前記左側ベアリングを越えて延伸し、前記少なくとも１つのベアリングアッセンブリの各々は、
前記前方移動スタンドの底部に確実に取り付けられ、前後に延伸する前方移動チャンネルスタンドを有し、前記前方移動チャンネルスタンドは、
互いに離間して横方向に配置され、前記左端側の前記左側ベアリングと前記右端側の前記右側ベアリングとを前後摺動自在にクランプする２本のチャンネルロッドを有することを特徴とする請求項１記載の肘掛テーブル。
【請求項２６】
前記少なくとも１つのテーブルパネルの数量が２であり、２つのテーブルパネルがその移動経路の最高位置に移動されるとき、２つのテーブルパネルがそれぞれ回転自在で２つの対向する側に向かって水平になることを特徴とする請求項１記載の肘掛テーブル。
【発明の詳細な説明】
【技術分野】
【０００１】
本発明は、座席の横に取り付けられた肘掛に関し、特にテーブルとして使用できる肘掛に関する。
【背景技術】
【０００２】
列車や飛行機のような各種大型の輸送乗り物又は搬送媒体には、乗客が使用するための座席に取り付けられるテーブルパネルが備えられている。しかしながら、従来のテーブルパネルは、乗客の前にある座席の背もたれの後部に取り付けられることが多く、このデザインは以下のような欠点がある。
【発明の概要】
【発明が解決しようとする課題】
【０００３】
第１に、前列に着座している乗客が背もたれを調節しているとき、次列の乗客のテーブルパネルの角度及び高さが両方とも影響を受ける。換言すれば、乗客は自分のテーブルパネルの角度及び高さを制御することができない。
【０００４】
第２に、最前列の座席においては、その最前列の座席の前には座席が配置されていないため、最前列の座席の前の壁には追加してテーブルパネルが取り付けられることになる。また、最後の列の座席においては、その最後列の座席の後部には乗客がいないので、背もたれにはテーブルパネルを取り付ける必要はないのである。しかしながら、大量生産のためにすべての座席は構造とデザインが同一であり、したがって最後列の座席はテーブルパネルが役に立たないにも拘わらず背もたれにテーブルパネルを取り付けた儘である。
【０００５】
この欠点を解消するために、本発明は上述の課題を軽減又は除去するための肘掛テーブルを提供する。
【０００６】
本発明の主目的は、座席の横に取り付けられ、座席に着座した乗客によって調節できる肘掛テーブルを提供することである。
【課題を解決するための手段】
【０００７】
本発明にしたがう肘掛テーブルは、
肘掛ケーシングを有し、肘掛ケーシングは、
内部空間と、
肘掛ケーシングの内部空間に連通する前部開口とを有し、肘掛テーブルは、
肘掛ケーシング内で前後移動自在に取り付けられ、肘掛ケーシングの前部開口から外方に移動自在な前方移動スタンドを有し、前方移動スタンドは、
内部空間と、
前方移動スタンドの内部空間に連通する上部開口とを有し、肘掛テーブルは、
前方移動スタンド内で上下移動自在に取り付けられ、肘掛ケーシングの上部開口の外方に移動自在な少なくとも１つのテーブルパネルを有し、
少なくとも１つのテーブルパネルがその移動経路の最高位置に移動されるとき、少なくとも１つのテーブルパネルは水平に回転自在であり、
少なくとも１つのテーブルパネルがその移動経路の最低位置に移動されるとき、前方移動スタンド及び少なくとも１つのテーブルパネルは肘掛ケーシング内に収納することができる。
【０００８】
通常、肘掛テーブルは肘掛として使用できる。乗客がそれをテーブルとして使用したいとき、前方移動スタンドは肘掛ケーシングの外方へ前方に移動される。次に、テーブルパネルは前方移動スタンドの外方へ上方に移動され、最後にテーブルパネルは回転されて水平になる。前列の座席の背もたれの後部に取り付けられ、前列の乗客によって高さが調節される従来のテーブルパネルと比較して、本発明のテーブルパネルは座席の横に取り付けられているため、各々の乗客は自分のテーブルパネルの高さを調節することができる。さらに、製造者は最前列及び最後列の座席のための特定の設計を行う必要もなくなる。
【０００９】
本発明の他の目的、利点及び新規な特徴は添付の図面と併せて以下の詳細な説明から明らかになる。
【図面の簡単な説明】
【００１０】
【図１】図１は、本発明にしたがう肘掛テーブルの第１の実施例の斜視図であり、肘掛として使用されるものとして示される。
【図２】図２は、図１における肘掛テーブルの動作斜視図であり、外方移動した前方移動スタンドを示す。
【図３】図３は、図１における肘掛テーブルの動作斜視図であり、外方移動した上方移動スタンドを示す。
【図４】図４は、図１における肘掛テーブルの動作斜視図であり、水平に配置された２つのテーブルパネルを示す。
【図５】図５は、図１における肘掛テーブルの分解斜視図である。
【図６】図６は、図１における肘掛テーブルの別の分解斜視図である。
【図７】図７は、図１における肘掛テーブルの肘掛ケーシング内のベアリングアッセンブリ及び前方移動ギアラックの斜視図である。
【図８】図８は、図１における肘掛テーブルの前方移動スタンドの斜視図である。
【図９】図９は、図１における肘掛テーブルの前方移動ポテンショメータの斜視図である。
【図１０】図１０は、図１における前方移動チャンネルアッセンブリ、前方移動ギアラック、前方移動ギアの部分断面背面図である。
【図１１】図１１は、図１における肘掛テーブルの前方移動スタンド上のネジロッド及び上方移動ギアラック、上側スタンドコンタクトスイッチ及び下側スタンドコンタクトスイッチの斜視図である。
【図１２】図１における肘掛テーブルのナット、上方移動ポテンショメータ及びスライドチャンネルの斜視図である。
【図１３】図１３は、図１における肘掛テーブルの上方移動スタンドの分解斜視図である。
【図１４】図１４は、図１における肘掛テーブルの前方移動スタンド、上方移動スタンド及びテーブルパネルの部分断面平面図である。
【図１５】図１５は、図１における肘掛テーブルの押出装置の部分断面正面図である。
【図１６】図１６は、図１における肘掛テーブルの第１の当接部の部分断面動作正面図であり、テーブルパネルがその移動経路の最高位置まで上方に移動された当該テーブルパネルを示す。
【図１７】図１７は、図１における肘掛テーブルの第１の当接部の部分断面動作正面図であり、水平に回転されたテーブルパネルを示す。
【図１８】図１８は、本発明にしたがう肘掛テーブルの第２の実施例の分解斜視図である。
【図１９】図１９は、図１８における肘掛テーブルの当接装置及びベアリングアッセンブリの斜視図である。
【図２０】図２０は、図１８における肘掛テーブルの当接装置の第１の部分断面動作正面図である。
【図２１】図２１は、図１８における肘掛テーブルの当接装置の第２の部分断面動作正面図である。
【図２２】図２２は、図１８における肘掛テーブルの前方移動スタンドの分解斜視図である。
【図２３】図２３は、図１８における肘掛テーブルの前方移動スタンドの底面斜視図である。
【図２４】図２４は、図１８における肘掛テーブルのロック装置の第１の部分断面正面図である。
【図２５】図２５は、図１８における肘掛テーブルのロック装置の第２の部分断面正面図である。
【図２６】図２６は、図１８における肘掛テーブルのロック装置の部分断面背面図である。
【図２７】図２７は、図１８における肘掛テーブルの上方移動スタンド及びテーブルパネルの分解斜視図である。
【図２８】図２８は、図１８における肘掛テーブルのテーブルパネルの分解斜視図である。
【図２９】図２９は、図１８における肘掛テーブルのテーブルパネルの第１の部分断面動作背面図である。
【図３０】図３０は、図１８における肘掛テーブルのテーブルパネルの第２の部分断面動作背面図である。
【図３１】図３１は、図１８における肘掛テーブルのテーブルパネルの第３の部分断面動作背面図である。
【発明を実施するための形態】
【００１１】
以下、本発明にしたがう肘掛テーブルの好適な実施例形態について図面を参照して詳細に説明する。
【００１２】
図１、図３、図５及び図６を参照するに、本発明にしたがう肘掛テーブルの第１の実施例は肘掛ケーシング１０と、前方移動スタンド２０と、前方移動動力装置３０と、上方移動スタンド４０と、上方移動動力装置５０と、２つのテーブルパネル６０と、制御パネル７０と、制御システムとを備えている。
【００１３】
肘掛ケーシング１０は内部空間と、この内部空間に連通する前部開口とを有する。
【００１４】
図５〜図７及び図１０を参照するに、前方移動スタンド２０は肘掛ケーシング１０内に前後に移動自在に取り付けられ、肘掛ケーシング１０の前部開口から外方移動自在であり、前方移動スタンド２０の内部空間と、この内部空間に連通する上部開口とを有している。好ましい実施例において、前方移動スタンド２０は２つの車輪２１を有する。２つの車輪２１は前方移動スタンド２０の底部に取り付けられ、前方移動スタンド２０の前端に隣接し、互いに横方向に離間して配置されている。
【００１５】
２つの前方移動チャンネルアッセンブリ２２が肘掛ケーシング１０と前部移動スタンド２０の底部との間に取り付けられ、互いに横方向に離間して配置されている。各前方移動チャンネルアッセンブリ２２は２つのベアリングアッセンブリ２２１及び前方移動チャンネルスタンド２２２を有している。２つのベアリングアッセンブリ２２１は肘掛ケーシング１０の内部空間の底部上に取り付けられ、互いに前後に離間して配置されている。各ベアリングアッセンブリ２２１は複数の左側ベアリング２２１１と複数の右側ベアリング２２１２とを有している。左側ベアリング２２１１は互いに前後に離間して配置されている。右側ベアリング２２１２は互いに前後に離間して配置されている。左端側の左側ベアリング２２１１は左端側の右側ベアリング２２１２を越えて延伸している。右端側の右側ベアリング２２１２は右端側の左側ベアリング２２１１を越えて延伸している。前方移動チャンネルスタンド２２２は前部移動スタンド２０の底部に確実に取り付けられ、前後に延伸し、２本のチャンネルロッド２２２１を有している。２つのチャンネルロッド２２２１は互いに横方向に離間して配置されており、左端側の左側ベアリング２２１１及び右端側の右側ベアリング２２１２を前後に摺動自在にクランプしている。車輪２１及びベアリング２２１１、２２１２は前方移動スタンド２０の肘掛ケーシング１０に対する円滑な摺動を容易にする。２本のチャンネルロッド２２２１はベアリング２２１１、２２１２をクランプして、前方移動スタンド２０を肘掛ケーシング１０に対し安定して移動させる。
【００１６】
肘掛ケーシング１０は、肘掛ケーシング１０の内壁の２つの対向側部に取り付けられ、前方移動スタンド２０が肘掛ケーシング１０内に戻されたとき前方移動スタンド２０をクランプする複数の硬質ゴム当接部１１を有する。
【００１７】
図６及び図８〜図１０参照するに、前方移動動力装置３０は肘掛ケーシング１０に取り付けられ、前方移動スタンド２０に連結され、前方移動スタンド２０を前後に移動させることができる。好ましい実施例において、前方移動動力装置３０は押出モータ３１と、前方移動ギアラック３２と、前方移動ポテンショメータ３３とを有する。押出モータ３１は肘掛ケーシング１０の内部空間の底部に取り付けられ、押出ロッド３１１を有している。押出ロッド３１１は、移動自在であり、前側移動スタンド２０に確実に連結されて前方移動スタンド２０を前後に移動させる。前方移動ギアラック３２は肘掛ケーシング１０に取り付けられ、前後方向に延伸している。前方移動ポテンショメータ３３は前方移動スタンド２０に取り付けられ、制御システムと電気的に接続され、前方移動ギア３３１を有する。前方移動ギア３３１は回転自在であり、前方移動ギアラック３２に噛合している。したがって、前方移動スタンド２０の移動距離は前方移動ポテンショメータ３３により算出することができる。押出モータ３１及び前方移動ポテンショメータ３３は制御システムと電気的に接続されているので、制御システムは前方移動ポテンショメータ３３により算出された移動量に応じて押出モータ３１を制御する。
【００１８】
図６、図８、図１２〜図１４を参照するに、上方移動スタンド４０は前方移動スタンド２０に上下動自在に取り付けられ、前方移動スタンド２０の上部開口から外方移動自在であり、内部空間と２つのテーブルパネル開口を有している。２つのテーブルパネル開口は内部空間と連通し、上方移動スタンド４０の上部に形成され、互いに横方向に離間して配置される。
【００１９】
好ましい実施例において、２つの上方移動チャンネルアッセンブリ４１が前方移動スタンド２０と上方移動スタンド４０との間に取り付けられ、上方移動スタンド４０の前面及び後面にそれぞれ取り付けられる。上方移動チャンネルアッセンブリ４１は複数のスライドチャンネルスタンド４１１と２つのスライドチャンネル４１２とを有する。スライドチャンネルスタンド４１１は、前方移動スタンド２０の内壁の前側又は後側に取り付けられる。スライドチャンネルスタンド４１１は２つのグループに分けられている。スライドチャンネルスタンド４１１の２つのグループは互いに横方向に離間して配置されている。各グループのスライドチャンネルスタンド４１１は互いに垂直方向に離隔して配置される。スライドチャンネル４１２は上方移動スタンド４０の前面又は後面に取り付けられ、互いに横方向に配置され、上下に延伸し、スライドチャンネルスタンド４１１の２つのグループに摺動自在に係合して、上方移動スタンド４０を前方移動スタンド２０に対して安定して移動させる。
【００２０】
図８及び図１１〜図１４を参照するに、上方移動動力装置５０が前方移動スタンド２０に取り付けられ、上方移動スタンド４０に連結され、上方移動スタンド４０を上下に移動させる。好ましい実施例では、上方移動動力装置５０は、モータ５１と、ネジロッド５２と、ナット５３と、上方移動ギアラック５４と、上方移動ポテンショメータ５５と、上側スタンドコンタクトスイッチ５６と、下側スタンドコンタクトスイッチ５７とを有する。モータ５１は前方移動スタンド２０に取り付けられている。ネジロッド５２はモータ５１に垂直方向に連結され、モータ５１によって回転駆動される。ナット５３は上方移動スタンド４０の後壁に取り付けられ、ネジロッド５２に取り付けられ、ネジロッド５２とネジ込めされている。上方移動スタンド４０は前方移動スタンド２０に取り付けられ、前方移動スタンド２０の前側及び後側は上方移動チャンネルアッセンブリ４１によって前方移動スタンド２０に連結され、このため上方移動スタンド４０及びナット５３は前方移動スタンド２０に対して回転自在とはなっていない。したがって、モータ５１がネジロッド５２を回転するとき、ナット５３及び上方移動スタンド４０は上下に移動させられる。
【００２１】
上方移動ギアラック５４は前方移動スタンド２０に取り付けられ、上下に延伸している。上方移動ポテンショメータ５５は上方移動スタンド４０の後壁に確実に取り付けられ、上方移動ギア５５１を有する。上方移動ギア５５１は回転自在であり、上方移動ギアラック５４に係合する。したがって、上方移動スタンド４０の移動量は上方移動ポテンショメータ５５によって算出することができる。
【００２２】
上側スタンドコンタクトスイッチ５６及び下側スタンドコンタクトスイッチ５７は前方移動スタンド２０に取り付けられ、互いに垂直方向に離間して配置されている。上方移動スタンド４０が上方又は下方に動かされるとき上側スタンドコンタクトスイッチ５６又は下側スタンドコンタクトスイッチ５７は上方移動スタンド４０によって作動される。
【００２３】
モータ５１、上方移動ポテンショメータ５５、上側スタンドコンタクトスイッチ５６及び下側スタンドコンタクトスイッチ５７は制御システムに電気的に接続されている。したがって、制御システムは上方移動ポテンショメータ５５により算出された移動距離と上側スタンドコンタクトスイッチ５６及び下側スタンドコンタクトスイッチ５７により検出された上方移動スタンド４０の位置とに基づいてモータ５１を制御することで支援することができる。
【００２４】
図１３〜図１７を参照するに、２つのテーブルパネル６０は上方移動スタンド４０内に上下に移動自在に取り付けられ、上方移動スタンド４０の２つのテーブルパネル開口からそれぞれ外方移動自在である。好ましい実施例において、上方移動スタンド４０は複数の押出装置４２を有する。押出装置４２は上方移動スタンド４０の内壁に取り付けられ、上方移動スタンド４０の２つのテーブルパネル開口に隣接して配置される。押出装置４２は２つのグループに分けられ、２つのグループの押出装置４２はそれぞれ２つのテーブルパネル６０に対応する。各グループの押出装置４２は互いに横方向に離間して配置される。各押出装置４２は第２の当接部４２２及び第２の弾性エレメント４２１を有する。第２の弾性エレメント４２１は第２の当接部４２２を押出して、第２の当接部４２２を対応するテーブルパネル６０に当接させる。上方移動スタンド４０は上方移動スタンド４０の内壁に取り付けられる複数の硬質ゴム当接部４３を有し、テーブルパネル６０が上方移動スタンド４０内に下方に移動されるとき対応するテーブルパネル６０をクランプする。したがって、テーブルパネル６０は図１５に示すように上方移動スタンド４０内に安定して取り付けられる。
【００２５】
各テーブルパネル６０は係合フレーム６１と、２つの第１の当接部６１１と、２つの第１の弾性エレメント６１２とを有する。係合フレーム６１はテーブルパネル６０の底側に枢動自在に連結されている。２つの第１の当接部６１１及び２つの第１の弾性エレメント６１２は係合フレーム６１に取り付けられている。２つの第１の弾性エレメント６１２は２つの第１の当接部６１１をそれぞれ押出して第１の当接部６１２をテーブルパネル６０に対して当接させる。２つのテーブルパネル６０がその移動経路の最高位置に移動されるとき、２つのテーブルパネル６０は２つの対向側に向かってそれぞれ水平になるように回転することができる。テーブルパネル６０が最高位置に移動されても未だ回転されていないとき、第１の当接部６１２はテーブルパネル６０に当接して、テーブルパネル６０が横方向に傾倒するのを防止する。しかしながら、ユーザがテーブルパネル６０を回転するとき、テーブルパネル６０はテーブルパネル６０の底側が係合フレーム６１に当接するまで回転される。このとき、テーブルパネル６０は図１７に示すように水平に配置される。
【００２６】
上方移動スタンド４０は上方移動スタンド４０の内部空間の底部に複数のクッション４４が取り付けられてテーブルパネル６０が当接するようにされており、これによって騒音や破損を回避している。
【００２７】
２つのテーブルパネルコンタクト装置が上方移動スタンド４０に取り付けられ、２つのテーブルパネル６０にそれぞれ対応する。各テーブルパネルコンタクト装置は上側パネルコンタクトスイッチ４５と下側パネルコンタクトスイッチ４６を有する。上側パネルコンタクトスイッチ４５及び下側パネルコンタクトスイッチ４６は上方移動スタンド４０の内壁に取り付けられ、互いに垂直方向に離間して配置されている。テーブルパネル６０がその移動経路の最高位置に移動されるとき、テーブルパネル６０は上側パネルコンタクトスイッチ４５を作動する。テーブルパネル６０が移動経路の最低位置に移動されるとき、テーブルパネル６０は下側パネルコンタクトスイッチ４６を作動する。上側パネルコンタクトスイッチ４５及び下側パネルコンタクトスイッチ４６は制御システムに電気的に接続されており、このため制御システムはテーブルパネル６０が上側パネルコンタクトスイッチ４５及び下側パネルコンタクトスイッチ４６によって上方移動スタンド４０から外方に突出しているか否かを識別できるようになっている。
【００２８】
好ましい実施例において、上方移動スタンド４０には２つのテーブルパネル６０が据え付けられている。しかしながら、上方移動スタンド４０は１つの単一テーブルパネル６０を据え付けることもできる。さらに、上方移動スタンド４０は１つの単一テーブルパネル６０と共にモジュール化することもできる。肘掛テーブルが２つのテーブルパネル６０を必要とするとき、２つのモジュール化された上方移動スタンド４０が組み立てられ、それにより容易な組立てを促進する。
【００２９】
２つのテーブルパネル６０がその移動経路の最低位置に移動され、上方移動スタンド４０がその移動経路の最低位置に移動されるとき、前方移動スタンド２０、上方移動スタンド４０及び２つのテーブルパネル６０は肘掛ケーシング１０内に収納することができる。
【００３０】
制御パネル７０は肘掛ケーシング１０に取り付けられている。好ましい実施例において、制御パネル７０は肘掛ケーシング１０の上部に取り付けられている。制御パネル７０は制御システムに電気的に接続され、それでユーザは制御パネル７０を介して前方移動動力装置３０及び上方移動動力装置５０を制御して、前方移動スタンド２０及び上方移動スタンド４０の移動及び位置を制御する。
【００３１】
図１〜図４を参照するに、肘掛テーブルが使用されている場合、ユーザは操作パネル７０によって肘掛テーブルを制御することができる。先ず、前方移動動力装置３０は前方移動スタンド２０を所定の位置に前方に押出し、次いで上方移動動力装置５０は上方移動スタンド４０を所定の高さまで上方に押出す。その後、ユーザはテーブルパネル６０をその移動経路の最高位置まで引き上げ、次いでテーブルパネル６０を回転させて、テーブルパネル６０を座席の前で水平にする。このとき、使用者は制御パネル７０によりテーブルパネル６０の前後位置及び高さをさらに制御することができる。その結果、肘掛テーブルは乗客用座席の横で座席に取り付けられてテーブルパネル６０を自分自身で調節することができる。
【００３２】
好ましい実施例において、肘掛テーブルはその肘掛テーブルの両側の２つの座席上に２人の乗客用の２つのテーブルパネル６０をそれぞれ有する。しかしながら、２つのテーブルパネル６０は２組用の４つの座席に４人の乗客を収容することができるので、上述したものに限定されることはない。２組の座席が並んで配置され、各組の２つの座席は互いに対向して配置される。好ましい実施例において、ティッシュボックス１２、フォーム肘掛１３、フリップカバータッチスクリーン１４を肘掛ケーシング１０の上部に取り付けることができる。肘掛ケーシング１０の側壁にウーハー１５を取り付けることができる。
【００３３】
別の好ましい実施例において、肘掛テーブルは上方移動スタンド及び上方移動動力装置なしで実施され、テーブルパネルは前方移動スタンドに直接取り付けられる。肘掛テーブルが使用されているとき、前方移動スタンドは肘掛ケーシングから外方に移動され、ユーザはテーブルパネルを引出すことができる。
【００３４】
肘掛テーブルが上方移動スタンド及び上方移動動力装置なしに構成されるとき、上方移動スタンドの上側コンタクトスイッチ、下側コンタクトスイッチ、押出装置、クッション及びゴム当接部は前方移動スタンドに取り付けられる。
【００３５】
別の好ましい実施例において、前方移動動力装置は押出モータ以外の構成で実施することができ、また上方移動動力装置はモータ、ネジロッド及びナット以外の構造で実施することができるが、ただし、２つの動力装置が他の対象を押出したり引出したりすることができる場合に限られる。
【００３６】
図１８を参照するに、本発明にしたがう肘掛テーブルの第２の実施例は上述の第１の実施例と同様である。しかしながら、これらの２つの実施例は以下のように幾つかの相違点を有する。
【００３７】
第２の実施例は、完全手動操作であり、前方移動動力装置、上方移動動力装置、制御パネル及び制御システムを有していない。代わりに、第２の実施例は当接装置３０Ａと、動力装置５０Ａと、ロック装置８０Ａとを有する。
【００３８】
図２３を参照するに、前方移動スタンド２０Ａはその前方移動スタンド２０Ａの底部に取り付けられる位置決めパネル２３Ａを有する。位置決めパネル２３Ａは複数の第２の位置決め孔２３１Ａを有し、これらの複数の第２の位置決め孔２３１Ａは位置決めパネル２３Ａを貫通して横方向に形成され、互いに前後に離間して配置されている。
【００３９】
図１９〜図２３を参照するに、当接装置３０Ａは肘掛ケーシング１０Ａに取り付けられ、第２の取付スタンド３１Ａと、第２の挿入ユニット３２Ａと、当接弾性エレメント３３Ａと、ペダル３４Ａとを有する。第２の取付スタンド３１Ａは肘掛ケーシング１０Ａの内部空間の底部に確実に取り付けられ、肘掛ケーシング１０Ａの前方開口に隣接して配置されている。好ましい実施例において、第２の取付スタンド３１Ａは複数の構成要素を含むが、これに限定されるものではない。第２の挿入ユニット３２Ａは第２の取付スタンド３１Ａに移動自在に取り付けられ、前方移動スタンド２０Ａの位置決めパネル２３Ａの第２の位置決め孔２３１Ａの１つに選択的に取り付けられている。したがって、前方移動スタンド２０Ａは異なる前後相対的位置に固定することができる。好ましい実施例において、第２の挿入ユニット３２Ａは細長くされた形状であり、第２の挿入ユニット３２Ａの端部の一方の上部に形成された突起３２１Ａを有する。
【００４０】
当接弾性エレメント３３Ａは第２の取付スタンド３１Ａに取り付けられ、第２の挿入ユニット３２Ａに当接して、第２の挿入ユニット３２Ａを前方移動スタンド２０Ａの第２の位置決め孔２３１Ａの１つに取り付けする。
【００４１】
ペダル３４Ａは肘掛ケーシング１０Ａの内部空間の底部に枢動自在に連結されている。好ましい実施例において、回転軸がペダル３４Ａと肘掛ケーシング１０Ａとの間で垂直方向に配置されている。ペダル３４Ａは肘掛ケーシング１０Ａから外方に露出されて第２の挿入ユニット３２Ａに当接する。ペダル３４Ａは延伸部３４１Ａ及び長溝３４２Ａを有する。延伸部３４１Ａはペダル３４Ａから横方向に突出している。長溝３４２Ａは延伸部３４１Ａの底部に形成されている。第２の挿入ユニット３２Ａの突起３２１Ａは長溝３４２Ａに取り付けられる。したがって、ペダル３４Ａが回転するとき、ペダル３４Ａは長溝３４２Ａを介して第２の挿入ユニット３２Ａを横方向に押出し、これによって第２の挿入ユニット３２Ａを前方移動スタンド２０Ａの第２の位置決め孔２３１Ａから離間させる。
【００４２】
図２４及び図２７図を参照するに、上方移動スタンド４０Ａはその上方移動スタンド４０Ａの側壁に複数の第１の位置決め溝４５Ａが形成され、第１の位置決め溝４５Ａは互いに垂直方向に離間して配置されている。
【００４３】
図１８、図２２、図２７を参照するに、動力装置５０Ａは前方移動スタンド２０Ａに取り付けられ、上方移動スタンド４０Ａに連結され、上方移動スタンド４０Ａを上方に押出す。好ましい実施例において、動力装置５０Ａは２つの液圧ガスストラット５１Ａを有する。２つの液圧ガスストラット５１Ａは前方移動スタンド２０Ａに取り付けられ、上方移動スタンド４０Ａの前側及び後側にそれぞれ設けられ、上方移動スタンド４０Ａに連結され、上方移動スタンド４０Ａを上方に押出す。上方移動スタンド４０Ａの上端が肘掛ケーシング１０Ａに当接せず、上方移動スタンド４０Ａに下向きの外力が加えられていないとき、動力装置５０Ａは上方移動スタンド４０Ａを上方に押出す。
【００４４】
図１８、２２、２４〜２６を参照するに、ロック装置８０Ａは前方移動スタンド２０Ａに取り付けられ、前方移動スタンド２０Ａに上方移動スタンド４０Ａを選択的に固定する。好ましい実施例において、ロック装置８０Ａは第１の取付スタンド８１Ａ、第１の挿入ユニット８２Ａ、横方向弾性エレメント８３Ａ、押圧ユニット８４Ａ及び２つの垂直方向弾性エレメント８５Ａを有する。
【００４５】
第１の取付スタンド８１Ａは前方移動スタンド２０Ａに確実に取り付けられ、前方移動スタンド２０Ａの上部に隣接して配置されている。
【００４６】
第１の挿入ユニット８２Ａは第１の取付スタンド８１Ａに横方向に移動自在に取り付けられ、第１の取付スタンド８１Ａから選択的に突出して上方移動スタンド４０Ａの第１の位置決め溝４５Ａの１つに取り付けられる。したがって、上方移動スタンド４０Ａは異なる高さに固定することができる。
【００４７】
横方向弾性エレメント８３Ａは第１の取付スタンド８１Ａに取り付けられ、第１の挿入ユニット８２Ａに横方向に当接して、第１の挿入ユニット８２Ａを上方移動スタンド４０Ａの第１の位置決め溝４５Ａの１つに取り付ける。
【００４８】
押圧ユニット８４Ａは上下移動自在に第１の取付スタンド８１Ａに取り付けられ、前方移動スタンド２０Ａから外方に露出されて、ユーザが押下できるようになっている。押圧ユニット８４Ａはその押圧ユニット８４Ａに形成される傾斜部８４１Ａを有し、第１の挿入ユニット８２Ａに当接する。押圧ユニット８４Ａが下方に押圧されるとき、傾斜部８４１Ａは第１の挿入ユニット８２Ａを横方向に押出して、第１の挿入ユニット８２Ａを上方移動スタンド４０Ａの第１の位置決め溝４５Ａから離間させる。
【００４９】
２つの垂直方向弾性エレメント８５Ａは第１の取付スタンド８１Ａに取り付けられ、押圧ユニット８４Ａを上方向に押出して、押圧ユニット８４Ａが押圧されないとき押圧ユニット８４Ａが第１の挿入ユニット８２Ａに当接させるのを防止する。しかしながら、横方向弾性エレメント８３Ａが傾斜部８４１Ａによって押圧ユニット８４Ａを上方に押出すのに十分ならば、ロック装置８０Ａは垂直方向弾性エレメント８５Ａなしに実施できる。
【００５０】
図２７〜図３１を参照するに、上方移動スタンド４０Ａはその上方移動スタンド４０Ａの内壁に取り付けられる２つの係合チャンネルアッセンブリ４７Ａを有する。各係合チャンネルアッセンブリ４７Ａはテーブルパネル６０Ａに対応し、上方移動スタンド４０Ａの２つの対向側にそれぞれ配置される２つの係合チャンネル４７１Ａを有している。各係合チャンネル４７１Ａは上下に延伸している。
【００５１】
上方移動スタンド４０Ａは上方移動スタンド４０Ａに取り付けられ、テーブルパネル６０Ａに当接する複数の位置決めユニット４６Ａを有している。位置決めユニット４６Ａは上方移動スタンド４０Ａの内部空間の２つの対向側に取り付けられ、それで位置決めユニット４６Ａはテーブルパネル６０Ａの２側に当接できるようになっている。好ましい実施例において、位置決めユニット４６Ａは上方移動スタンド４０Ａにネジ込まれるネジであるが、これに限定されるものではない。上方移動スタンド４０Ａはその上方移動スタンド４０Ａの上部に取り付けられ、テーブルパネル６０Ａに当接する複数の支持ユニット４８Ａを有する。テーブルパネル６０Ａは支持ユニット４８Ａに選択的に下方に当接している。支持ユニット４８Ａはそれぞれ２つのテーブルパネル開口に隣接して配置されている。同じテーブルパネル開口に対応する支持ユニット４８Ａ及び位置決めユニット４６Ａはテーブルパネル開口の２つの対向側に配置される。
【００５２】
テーブルパネル６０Ａの係合フレーム６１Ａはその係合フレーム６１Ａの２つの対向側に取り付けられる２つの案内スタンド６１１Ａを有している。２つの案内スタンド６１１Ａは対応する係合チャンネルアッセンブリ４７Ａの２つの係合チャンネル４７１Ａにそれを囲んでそれぞれ摺動自在に取り付けられている。係合フレーム６１Ａは位置決めユニット４６Ａに選択的に上方に当接する。
【００５３】
テーブルパネル６０Ａは、係合チャンネルアッセンブリ４７Ａが係合しているため、垂直方向に上方に移動する。テーブルパネル６０Ａは係合フレーム６１Ａが位置決めユニット４６Ａに上方に当接するまで上方に移動する。このとき、テーブルパネル６０Ａはその移動経路の最高位置に到達している。そして、テーブルパネル６０Ａはそのテーブルパネル６０Ａが支持ユニット４８Ａに下方に当接するまで回転させられる。このとき、テーブルパネル６０Ａは水平に配置され、支持ユニット４８Ａ及び位置決めユニット４６Ａはテーブルパネル６０Ａを水平に安定して保持するための保持力を生成する。
【００５４】
肘掛テーブルが使用されているとき、ユーザは先ず足でペダル３４Ａを踏んで第２の挿入ユニット３２Ａを前方移動スタンド２０Ａの第２の位置決め孔２３１Ａから離間させる。そして、ユーザは、第２の挿入ユニット３２Ａが前方移動スタンド２０Ａの次の第２の位置決め孔２３１Ａに取り付けられるまで、前方移動スタンド２０Ａを手動で外方に引出すことができる。このとき、上方移動スタンド４０Ａ及びテーブルパネル６０Ａは肘掛ケーシング１０Ａから外方に移動され、ロック装置８０Ａの押圧ユニット８４Ａが露出している。そして、押圧ユニット８４Ａが押圧されて、第１の挿入ユニット８２Ａを上方移動スタンド４０Ａの第１の位置決め溝４５Ａから離間させる。このとき、動力装置５０Ａの液圧ガスストラット５１Ａは、第１の挿入ユニット８２Ａが上方移動スタンド４０Ａの次の第１の位置決め溝４５Ａに取り付けられるまで、上方移動スタンド４０Ａを自動的に上方に押出す。その後、ユーザはテーブルパネル６０Ａをその移動経路の最高位置まで引き上げた後、テーブルパネル６０Ａを回転させてテーブルパネル６０Ａを座席の前で水平にする。
【００５５】
さらに、使用者はペダル３４Ａを踏んで、押圧ユニット８４Ａを押圧することによりテーブルパネル６０Ａの前後位置及び高さを制御することができる。
【００５６】
別の好ましい実施例において、肘掛テーブルは上方移動スタンド及び動力装置なしで実施され、テーブルパネルは前方移動スタンドに取り付けられる。肘掛テーブルが使用されているとき、前方移動スタンドは肘掛ケーシングから外方に移動され、ユーザはテーブルパネルを引き出すことができる。
【００５７】
本発明の多くの特徴及び利点が本発明の構造及び機能の詳細と共に前述の説明において記載したが、その開示は例示的なものに過ぎない。その変更は、特に特許請求の範囲が表現している用語の広範な一般的意味によって示されるように本発明の原理内で部品の形状、大きさ及び配置の事項について詳細に案出することができる。
【符号の説明】
【００５８】
１０・・・肘掛ケーシング
１１・・・硬質ゴム当接部
１２・・・ティッシュボックス
１３・・・フォーム肘掛
１４・・・フリップカバータッチスクリーン
１５・・・ウーハー
２０・・・前方移動スタンド
２１・・・車輪
２２・・・前方移動チャンネルアッセンブリ
２２１・・・ベアリングアッセンブリ
２２２・・・前方移動チャンネルスタンド
２２１１・・・左側ベアリング
２２１２・・・右側ベアリング
２２２１・・・チャンネルロッド
３０・・・前方移動動力装置
３１・・・押出モータ
３２・・・前方移動ギアラック
３３・・・前方移動ポテンショメータ
３１１・・・押出ロッド
３３１・・・前方移動ギア
４０・・・上方移動スタンド
４１・・・上方移動チャンネルアッセンブリ
４１１・・・スライドチャンネルスタンド
４１２・・・スライドチャンネル
４２・・・押出装置
４２１・・・第２の弾性エレメント
４２２・・・第２の当接部
４３・・・硬質ゴム当接部
４４・・・クッション
４５・・・上側パネルコンタクトスイッチ
４６・・・下側パネルコンタクトスイッチ
５０・・・上方移動動力装置
５１・・・モータ
５２・・・ネジロッド
５３・・・ナット
５４・・・上方移動ギアラック
５５・・・上方移動ポテンショメータ
５６・・・上側スタンドコンタクトスイッチ
５７・・・下側スタンドコンタクトスイッチ
５５１・・・上方移動ギア
６０・・・テーブルパネル
６１・・・係合フレーム
６１１・・・第１の当接部
６１２・・・第１の弾性エレメント
７０・・・制御パネル
１０Ａ・・・肘掛ケーシング
２０Ａ・・・前方移動スタンド
２３Ａ・・・位置決めパネル
２３１Ａ・・・第２の位置決め孔
３０Ａ・・・当接装置
３１Ａ・・・第２の取付スタンド
３２Ａ・・・第２の挿入ユニット
３３Ａ・・・当接弾性エレメント
３４Ａ・・・ペダル
３２１Ａ・・・突起
３４１Ａ・・・延伸部
３４２Ａ・・・長溝
４０Ａ・・・上方移動スタンド
４５Ａ・・・第１の位置決め溝
４６Ａ・・・位置決めユニット
４７Ａ・・・係合チャンネルアッセンブリ
４７１Ａ・・・係合チャンネル
４８Ａ・・・支持ユニット
５０Ａ・・・動力装置
５１Ａ・・・液圧ガスストラット
６０Ａ・・・テーブルパネル
６１Ａ・・・係合フレーム
６１１Ａ・・・案内スタンド
８０Ａ・・・ロック装置
８１Ａ・・・第１の取付スタンド
８２Ａ・・・第１の挿入ユニット
８３Ａ・・・横方向弾性エレメント
８４Ａ・・・押圧ユニット
８４１Ａ・・・傾斜部
８５Ａ・・・垂直方向弾性エレメント
【図１】
2018002135.tif 000003
【図２】
2018002135.tif 000004
【図３】
2018002135.tif 000005
【図４】
2018002135.tif 000006
【図５】
2018002135.tif 000007
【図６】
2018002135.tif 000008
【図７】
2018002135.tif 000009
【図８】
2018002135.tif 000010
【図９】
2018002135.tif 000011
【図１０】
2018002135.tif 000012
【図１１】
2018002135.tif 000013
【図１２】
2018002135.tif 000014
【図１３】
2018002135.tif 000015
【図１４】
2018002135.tif 000016
【図１５】
2018002135.tif 000017
【図１６】
2018002135.tif 000018
【図１７】
2018002135.tif 000019
【図１８】
2018002135.tif 000020
【図１９】
2018002135.tif 000021
【図２０】
2018002135.tif 000022
【図２１】
2018002135.tif 000023
【図２２】
2018002135.tif 000024
【図２３】
2018002135.tif 000025
【図２４】
2018002135.tif 000026
【図２５】
2018002135.tif 000027
【図２６】
2018002135.tif 000028
【図２７】
2018002135.tif 000029
【図２８】
2018002135.tif 000030
【図２９】
2018002135.tif 000031
【図３０】
2018002135.tif 000032
【図３１】
2018002135.tif 000033